(57)【要約】【課題】色変換制限の変更を容易に行う。【解決手段】Ｃ，Ｍ，Ｙ，Ｋ，Ｂ，Ｇ，Ｒそれぞれについて、色変換制限、及び、色変換制限の変更可能性の有無を設定可能とする。変更可能性があると設定された色変換制限について、カラーチャートに含まれる基本カラーパッチの中から、色変換制限の変更により色再現結果が変わるカラーパッチを選択し、カラーチャートに追加する。基本カラーパッチと追加カラーパッチのうち同一色のカラーパッチについて、色変換制限を変更した場合と変更しない場合のそれぞれの条件で色変換処理を行い、プリンタにて出力し、各カラーパッチの測色値と目標値との差分に基づいて色変換プロファイルを補正する補正データを、色変換制限を変更した場合と変更しない場合のそれぞれについて作成する。【選択図】図５
2010263445.tif 000002
【特許請求の範囲】
【請求項１】
入力画像データに対し色変換プロファイルを用いて色変換処理を行い、プリンタの色再現を目標印刷物に合わせる画像処理方法であって、
制御部により、カラーチャートに含まれる複数のカラーパッチの中から、色変換制限の変更により色再現結果が変わるカラーパッチを選択し、
当該選択されたカラーパッチを前記カラーチャートに追加し、
前記カラーチャートにおける選択対象のカラーパッチと前記追加されたカラーパッチのうち同一色のカラーパッチについて、前記色変換制限を変更した場合と変更しない場合のそれぞれの条件で色変換処理を行い、
当該色変換処理後の画像データに基づいて前記プリンタにて出力されたカラーチャートの各カラーパッチの測色値を取得し、
当該取得された測色値と目標値との差分に基づいて前記色変換プロファイルを補正する補正データを、前記色変換制限を変更した場合と変更しない場合のそれぞれについて作成する画像処理方法。
【請求項２】
前記色変換制限は、シアン、マゼンタ、イエロー、ブラックのうち少なくとも１色以上について、シアン、マゼンタ、イエロー、ブラックのうち１色のみからなる入力画像データを、前記プリンタに依存する色成分のうち、対応するシアン、マゼンタ、イエロー、ブラックの１色のみで再現する条件を含む、
請求項１に記載の画像処理方法。
【請求項３】
前記色変換制限は、シアン、マゼンタ、イエロー、ブラックのいずれか２色の組み合わせのうち少なくとも１組以上について、シアン、マゼンタ、イエロー、ブラックの２色の組み合わせのみからなる入力画像データを、前記プリンタに依存する色成分のうち、対応するシアン、マゼンタ、イエロー、ブラックの２色の組み合わせのみで再現する条件を含む、
請求項１又は２に記載の画像処理方法。
【請求項４】
前記色変換制限は、シアン、マゼンタ、イエロー、ブラックのうち少なくとも１色以上について、シアン、マゼンタ、イエロー、ブラックのうち１色の最大階調からなる入力画像データを、前記プリンタに依存する色成分のうち、対応するシアン、マゼンタ、イエロー、ブラックの最大階調で再現する条件を含む、
請求項１から３のいずれか一項に記載の画像処理方法。
【請求項５】
前記色変換制限は、シアン、マゼンタ、イエロー、ブラックのいずれか２色の組み合わせのうち少なくとも１組以上について、シアン、マゼンタ、イエロー、ブラックの２色の組み合わせの最大階調からなる入力画像データを、前記プリンタに依存する色成分のうち、対応するシアン、マゼンタ、イエロー、ブラックの２色の組み合わせの最大階調で再現する条件を含む、
請求項１から４のいずれか一項に記載の画像処理方法。
【請求項６】
前記制御部により、前記色変換制限の変更可能性の有無を設定するための設定画面を表示部に表示させ、
操作部より入力された操作信号に基づいて前記色変換制限の変更可能性の有無を設定し、
当該変更可能性があると設定された色変換制限について、前記カラーチャートに含まれる複数のカラーパッチの中から、当該色変換制限の変更により色再現結果が変わるカラーパッチを選択する、
請求項１から５のいずれか一項に記載の画像処理方法。
【請求項７】
入力画像データに対し色変換プロファイルを用いて色変換処理を行い、プリンタの色再現を目標印刷物に合わせる画像処理装置であって、
カラーチャートに含まれる複数のカラーパッチの中から、色変換制限の変更により色再現結果が変わるカラーパッチを選択し、
当該選択されたカラーパッチを前記カラーチャートに追加し、
前記カラーチャートにおける選択対象のカラーパッチと前記追加されたカラーパッチのうち同一色のカラーパッチについて、前記色変換制限を変更した場合と変更しない場合のそれぞれの条件で色変換処理を行い、
当該色変換処理後の画像データに基づいて前記プリンタにて出力されたカラーチャートの各カラーパッチの測色値を取得し、
当該取得された測色値と目標値との差分に基づいて前記色変換プロファイルを補正する補正データを、前記色変換制限を変更した場合と変更しない場合のそれぞれについて作成する制御部を備える画像処理装置。
【請求項８】
前記色変換制限は、シアン、マゼンタ、イエロー、ブラックのうち少なくとも１色以上について、シアン、マゼンタ、イエロー、ブラックのうち１色のみからなる入力画像データを、前記プリンタに依存する色成分のうち、対応するシアン、マゼンタ、イエロー、ブラックの１色のみで再現する条件を含む、
請求項７に記載の画像処理装置。
【請求項９】
前記色変換制限は、シアン、マゼンタ、イエロー、ブラックのいずれか２色の組み合わせのうち少なくとも１組以上について、シアン、マゼンタ、イエロー、ブラックの２色の組み合わせのみからなる入力画像データを、前記プリンタに依存する色成分のうち、対応するシアン、マゼンタ、イエロー、ブラックの２色の組み合わせのみで再現する条件を含む、
請求項７又は８に記載の画像処理装置。
【請求項１０】
前記色変換制限は、シアン、マゼンタ、イエロー、ブラックのうち少なくとも１色以上について、シアン、マゼンタ、イエロー、ブラックのうち１色の最大階調からなる入力画像データを、前記プリンタに依存する色成分のうち、対応するシアン、マゼンタ、イエロー、ブラックの最大階調で再現する条件を含む、
請求項７から９のいずれか一項に記載の画像処理装置。
【請求項１１】
前記色変換制限は、シアン、マゼンタ、イエロー、ブラックのいずれか２色の組み合わせのうち少なくとも１組以上について、シアン、マゼンタ、イエロー、ブラックの２色の組み合わせの最大階調からなる入力画像データを、前記プリンタに依存する色成分のうち、対応するシアン、マゼンタ、イエロー、ブラックの２色の組み合わせの最大階調で再現する条件を含む、
請求項７から１０のいずれか一項に記載の画像処理装置。
【請求項１２】
ユーザによる操作入力を受け付ける操作部を備え、
前記制御部は、前記色変換制限の変更可能性の有無を設定するための設定画面を表示部に表示させ、
前記操作部より入力された操作信号に基づいて前記色変換制限の変更可能性の有無を設定し、
当該変更可能性があると設定された色変換制限について、前記カラーチャートに含まれる複数のカラーパッチの中から、当該色変換制限の変更により色再現結果が変わるカラーパッチを選択する、
請求項７から１１のいずれか一項に記載の画像処理装置。
【請求項１３】
ユーザによる操作入力を受け付ける操作部と、
色変換処理における色変換制限及び／又は当該色変換制限の変更可能性の有無を設定するための設定画面を表示部に表示させ、
前記操作部より入力された操作信号に基づいて前記色変換制限及び／又は当該色変換制限の変更可能性の有無を設定し、
当該設定された色変換制限及び／又は当該色変換制限の変更可能性の有無に応じたカラーチャートをプリンタに出力させる制御部と、
を備える画像処理装置。
【請求項１４】
入力画像データに対し色変換プロファイルを用いて色変換処理を行い、プリンタの色再現を目標印刷物に合わせるコンピュータを、
カラーチャートに含まれる複数のカラーパッチの中から、色変換制限の変更により色再現結果が変わるカラーパッチを選択し、
当該選択されたカラーパッチを前記カラーチャートに追加し、
前記カラーチャートにおける選択対象のカラーパッチと前記追加されたカラーパッチのうち同一色のカラーパッチについて、前記色変換制限を変更した場合と変更しない場合のそれぞれの条件で色変換処理を行い、
当該色変換処理後の画像データに基づいて前記プリンタにて出力されたカラーチャートの各カラーパッチの測色値を取得し、
当該取得された測色値と目標値との差分に基づいて前記色変換プロファイルを補正する補正データを、前記色変換制限を変更した場合と変更しない場合のそれぞれについて作成する制御部として機能させるためのプログラム。
【発明の詳細な説明】
【技術分野】
【０００１】
本発明は、画像処理方法、画像処理装置及びプログラムに関する。
【背景技術】
【０００２】
近年、カラー印刷業界においては、印刷本機（枚葉印刷機、輪転印刷機等）とオンデマンド印刷機（電子写真プリンタやインクジェットプリンタ等）を、コスト、納期等に応じて使い分け、相互に活用するようになってきている。
【０００３】
このような運用においては、印刷本機とオンデマンド印刷機の品質の違いを極力少なくし、後に追い刷りの注文を受けた場合にも、両者を柔軟に選択して対応できるようにしておくことが望ましい。特に、色再現は品質の差として認識されやすいため、両者の色再現特性を可能な限り近付けることが望まれている。
【０００４】
具体的には、予め色調整の目標となる印刷本機で出力した、複数のＣＭＹＫ値を組み合わせたカラーパッチで構成されるカラーチャートを測色し、ターゲットプロファイル（シミュレーションプロファイル、印刷色プロファイル）を作成する。さらに、オンデマンド印刷機においても同様のカラーチャートを出力し、プリンタプロファイル（デスティネーションプロファイル）を作成する。そして、ターゲットプロファイルを用いて印刷本機のデバイス依存色（ＣＭＹＫデータ等）をデバイス非依存色（ＣＩＥ  ＸＹＺデータ、ＣＩＥ  Ｌ＊ａ＊ｂ＊データ等）に変換し、プリンタプロファイルを用いてデバイス非依存色をデバイス依存色（ＣＭＹＫデータ等）に変換することによって、両者の色再現を近似させている。
【０００５】
色調整技術において、そのプロファイル作成工程における測色の誤差や、オンデマンド印刷機の経時変化等によって、色再現目標と色再現結果との間に誤差が生じてしまうことがある。このことから、プロファイルを作成するためのカラーチャートを用いて、色再現における誤差を測定し、その測定された誤差を用いて印刷色プロファイルを再作成することで、色再現における誤差を低減させることが提案されている（特許文献１、２参照）。
【０００６】
特許文献１には、色再現時の誤差補正を目的として、印刷本機での印刷結果（ターゲットサンプル）の測色値とカラープリンタでの印刷結果（校正サンプル）の測色値との差分を取得し、その差分をターゲットサンプルの測色値に反映させて、印刷色プロファイルを再作成することが記載されている。
【０００７】
特許文献２には、プロファイル作成用のカラーチャートのうち、色再現誤差の修正対象としてユーザが指定した一部の色だけに限定して補正を行うことが記載されている。
【０００８】
ところで、オンデマンド印刷機では、必要に応じて色変換処理に一定の制限を設ける場合がある。例えば、モノクロ画像が多用されているカラー画像を出力する場合には、オンデマンド印刷機の変動によってモノクロ画像の色調が変化し、問題になりやすい。これを防ぐために、このような画像を出力する際には、グレーを黒トナーや黒インクのみで再現するように色変換処理に制限を設けることが望ましい。また、図形や文字の部分等で、デザインとして意図的にＣＭＹＫの中から１色又は２色のみを用いている場合には、該当部分に他の色が混入しないよう制限を設ける場合がある。また、１００％ベタにて構成されている色が色変換処理によって１００％未満の値に変換され、網掛けで濃度が表現されることを防ぐため、１００％の入力値を１００％未満の出力値に変換しないように色変換処理に制限を設ける場合がある。このように、オンデマンド印刷機の色再現を印刷本機の出力物に近付けること以上に、色としてきれいな方を優先させる場合がある。
【先行技術文献】
【特許文献】
【０００９】
【特許文献１】特開２００４−１５３６６７号公報
【特許文献２】特開２００７−２２１１８２号公報
【発明の概要】
【発明が解決しようとする課題】
【００１０】
しかし、色変換処理に制限を設定可能な場合に、色調整後に色変換制限を変更すると、前に行った誤差補正の結果が適用できなくなるという問題があった。すなわち、色変換処理に制限を設けた場合には、制限を設けた状態で色変換処理を行ってカラーチャートを出力し、その色を測定する必要があった。このため、色再現の誤差補正操作を既に行ってある状態から色変換制限を変更してしまうと、この色変換制限の変更によって色再現が変わる部分については、実施済みの誤差補正結果が適用できないため、再度新たな条件で誤差補正操作を実施する必要があった。
【００１１】
しかし、オンデマンド印刷機を用いる業務では迅速性が重要であり、色変換制限を変更する毎に誤差補正操作を行うことは困難であった。
【００１２】
本発明は、色変換制限の変更を容易に行うことを課題とする。
【課題を解決するための手段】
【００１３】
上記課題を解決するために、請求項１に記載の発明は、入力画像データに対し色変換プロファイルを用いて色変換処理を行い、プリンタの色再現を目標印刷物に合わせる画像処理方法であって、制御部により、カラーチャートに含まれる複数のカラーパッチの中から、色変換制限の変更により色再現結果が変わるカラーパッチを選択し、当該選択されたカラーパッチを前記カラーチャートに追加し、前記カラーチャートにおける選択対象のカラーパッチと前記追加されたカラーパッチのうち同一色のカラーパッチについて、前記色変換制限を変更した場合と変更しない場合のそれぞれの条件で色変換処理を行い、当該色変換処理後の画像データに基づいて前記プリンタにて出力されたカラーチャートの各カラーパッチの測色値を取得し、当該取得された測色値と目標値との差分に基づいて前記色変換プロファイルを補正する補正データを、前記色変換制限を変更した場合と変更しない場合のそれぞれについて作成する。
【００１４】
請求項２に記載の発明は、請求項１に記載の画像処理方法において、前記色変換制限は、シアン、マゼンタ、イエロー、ブラックのうち少なくとも１色以上について、シアン、マゼンタ、イエロー、ブラックのうち１色のみからなる入力画像データを、前記プリンタに依存する色成分のうち、対応するシアン、マゼンタ、イエロー、ブラックの１色のみで再現する条件を含む。
【００１５】
請求項３に記載の発明は、請求項１又は２に記載の画像処理方法において、前記色変換制限は、シアン、マゼンタ、イエロー、ブラックのいずれか２色の組み合わせのうち少なくとも１組以上について、シアン、マゼンタ、イエロー、ブラックの２色の組み合わせのみからなる入力画像データを、前記プリンタに依存する色成分のうち、対応するシアン、マゼンタ、イエロー、ブラックの２色の組み合わせのみで再現する条件を含む。
【００１６】
請求項４に記載の発明は、請求項１から３のいずれか一項に記載の画像処理方法において、前記色変換制限は、シアン、マゼンタ、イエロー、ブラックのうち少なくとも１色以上について、シアン、マゼンタ、イエロー、ブラックのうち１色の最大階調からなる入力画像データを、前記プリンタに依存する色成分のうち、対応するシアン、マゼンタ、イエロー、ブラックの最大階調で再現する条件を含む。
【００１７】
請求項５に記載の発明は、請求項１から４のいずれか一項に記載の画像処理方法において、前記色変換制限は、シアン、マゼンタ、イエロー、ブラックのいずれか２色の組み合わせのうち少なくとも１組以上について、シアン、マゼンタ、イエロー、ブラックの２色の組み合わせの最大階調からなる入力画像データを、前記プリンタに依存する色成分のうち、対応するシアン、マゼンタ、イエロー、ブラックの２色の組み合わせの最大階調で再現する条件を含む。
【００１８】
請求項６に記載の発明は、請求項１から５のいずれか一項に記載の画像処理方法において、前記制御部により、前記色変換制限の変更可能性の有無を設定するための設定画面を表示部に表示させ、操作部より入力された操作信号に基づいて前記色変換制限の変更可能性の有無を設定し、当該変更可能性があると設定された色変換制限について、前記カラーチャートに含まれる複数のカラーパッチの中から、当該色変換制限の変更により色再現結果が変わるカラーパッチを選択する。
【００１９】
請求項７に記載の発明は、入力画像データに対し色変換プロファイルを用いて色変換処理を行い、プリンタの色再現を目標印刷物に合わせる画像処理装置であって、カラーチャートに含まれる複数のカラーパッチの中から、色変換制限の変更により色再現結果が変わるカラーパッチを選択し、当該選択されたカラーパッチを前記カラーチャートに追加し、前記カラーチャートにおける選択対象のカラーパッチと前記追加されたカラーパッチのうち同一色のカラーパッチについて、前記色変換制限を変更した場合と変更しない場合のそれぞれの条件で色変換処理を行い、当該色変換処理後の画像データに基づいて前記プリンタにて出力されたカラーチャートの各カラーパッチの測色値を取得し、当該取得された測色値と目標値との差分に基づいて前記色変換プロファイルを補正する補正データを、前記色変換制限を変更した場合と変更しない場合のそれぞれについて作成する制御部を備える。
【００２０】
請求項８に記載の発明は、請求項７に記載の画像処理装置において、前記色変換制限は、シアン、マゼンタ、イエロー、ブラックのうち少なくとも１色以上について、シアン、マゼンタ、イエロー、ブラックのうち１色のみからなる入力画像データを、前記プリンタに依存する色成分のうち、対応するシアン、マゼンタ、イエロー、ブラックの１色のみで再現する条件を含む。
【００２１】
請求項９に記載の発明は、請求項７又は８に記載の画像処理装置において、前記色変換制限は、シアン、マゼンタ、イエロー、ブラックのいずれか２色の組み合わせのうち少なくとも１組以上について、シアン、マゼンタ、イエロー、ブラックの２色の組み合わせのみからなる入力画像データを、前記プリンタに依存する色成分のうち、対応するシアン、マゼンタ、イエロー、ブラックの２色の組み合わせのみで再現する条件を含む。
【００２２】
請求項１０に記載の発明は、請求項７から９のいずれか一項に記載の画像処理装置において、前記色変換制限は、シアン、マゼンタ、イエロー、ブラックのうち少なくとも１色以上について、シアン、マゼンタ、イエロー、ブラックのうち１色の最大階調からなる入力画像データを、前記プリンタに依存する色成分のうち、対応するシアン、マゼンタ、イエロー、ブラックの最大階調で再現する条件を含む。
【００２３】
請求項１１に記載の発明は、請求項７から１０のいずれか一項に記載の画像処理装置において、前記色変換制限は、シアン、マゼンタ、イエロー、ブラックのいずれか２色の組み合わせのうち少なくとも１組以上について、シアン、マゼンタ、イエロー、ブラックの２色の組み合わせの最大階調からなる入力画像データを、前記プリンタに依存する色成分のうち、対応するシアン、マゼンタ、イエロー、ブラックの２色の組み合わせの最大階調で再現する条件を含む。
【００２４】
請求項１２に記載の発明は、請求項７から１１のいずれか一項に記載の画像処理装置において、ユーザによる操作入力を受け付ける操作部を備え、前記制御部は、前記色変換制限の変更可能性の有無を設定するための設定画面を表示部に表示させ、前記操作部より入力された操作信号に基づいて前記色変換制限の変更可能性の有無を設定し、当該変更可能性があると設定された色変換制限について、前記カラーチャートに含まれる複数のカラーパッチの中から、当該色変換制限の変更により色再現結果が変わるカラーパッチを選択する。
【００２５】
請求項１３に記載の発明は、ユーザによる操作入力を受け付ける操作部と、色変換処理における色変換制限及び／又は当該色変換制限の変更可能性の有無を設定するための設定画面を表示部に表示させ、前記操作部より入力された操作信号に基づいて前記色変換制限及び／又は当該色変換制限の変更可能性の有無を設定し、当該設定された色変換制限及び／又は当該色変換制限の変更可能性の有無に応じたカラーチャートをプリンタに出力させる制御部と、を備える画像処理装置である。
【００２６】
請求項１４に記載の発明は、入力画像データに対し色変換プロファイルを用いて色変換処理を行い、プリンタの色再現を目標印刷物に合わせるコンピュータを、カラーチャートに含まれる複数のカラーパッチの中から、色変換制限の変更により色再現結果が変わるカラーパッチを選択し、当該選択されたカラーパッチを前記カラーチャートに追加し、前記カラーチャートにおける選択対象のカラーパッチと前記追加されたカラーパッチのうち同一色のカラーパッチについて、前記色変換制限を変更した場合と変更しない場合のそれぞれの条件で色変換処理を行い、当該色変換処理後の画像データに基づいて前記プリンタにて出力されたカラーチャートの各カラーパッチの測色値を取得し、当該取得された測色値と目標値との差分に基づいて前記色変換プロファイルを補正する補正データを、前記色変換制限を変更した場合と変更しない場合のそれぞれについて作成する制御部として機能させるためのプログラムである。
【発明の効果】
【００２７】
請求項１、７、１４に記載の発明によれば、色変換制限を変更した場合と変更しない場合のそれぞれについて補正データを作成するので、色変換制限の変更を容易に行うことができる。
【００２８】
請求項２、８に記載の発明によれば、シアン、マゼンタ、イエロー、ブラックのうち１色のみからなる入力画像データをプリンタにおいて対応するシアン、マゼンタ、イエロー、ブラックの１色のみで再現する、色変換制限に変更することを容易に行うことができる。
【００２９】
請求項３、９に記載の発明によれば、シアン、マゼンタ、イエロー、ブラックの２色の組み合わせのみからなる入力画像データをプリンタにおいて対応するシアン、マゼンタ、イエロー、ブラックの２色の組み合わせのみで再現する、色変換制限に変更することを容易に行うことができる。
【００３０】
請求項４、１０に記載の発明によれば、シアン、マゼンタ、イエロー、ブラックのうち１色の最大階調からなる入力画像データをプリンタにおいて対応するシアン、マゼンタ、イエロー、ブラックの最大階調で再現する、色変換制限に変更することを容易に行うことができる。
【００３１】
請求項５、１１に記載の発明によれば、シアン、マゼンタ、イエロー、ブラックの２色の組み合わせの最大階調からなる入力画像データをプリンタにおいて対応するシアン、マゼンタ、イエロー、ブラックの２色の組み合わせの最大階調で再現する、色変換制限に変更することを容易に行うことができる。
【００３２】
請求項６、１２に記載の発明によれば、変更可能性があると設定された色変換制限について、カラーチャートに含まれる複数のカラーパッチの中から、色変換制限の変更により色再現結果が変わるカラーパッチを選択するので、カラーチャートの出力及びカラーパッチの測色を効率良く行うことができる。
【００３３】
請求項１３に記載の発明によれば、設定された色変換制限及び／又は色変換制限の変更可能性の有無に応じたカラーチャートをプリンタに出力させるので、色変換制限の変更を容易に行うことができる。
【図面の簡単な説明】
【００３４】
【図１】色調整システムのシステム構成図である。
【図２】画像処理装置の機能的構成を示すブロック図である。
【図３】色調整処理の概要を示すフローチャートである。
【図４】ターゲットデバイスの測色データの入力画面の例である。
【図５】色変換制限設定画面の例である。
【図６】カラーパッチ構成処理を示すフローチャートである。
【図７】カラーチャートの例である。
【図８】補正データの作成について説明するための図である。
【図９】出力処理の概要を示すフローチャートである。
【発明を実施するための形態】
【００３５】
以下、本発明に係る画像処理装置の一実施形態について説明する。
図１に、色調整システム１００のシステム構成を示す。図１に示すように、色調整システム１００は、画像処理装置１０、目標印刷機２０、プリンタ３０、測色計４０，５０等を備えて構成されている。
【００３６】
画像処理装置１０は、色調整の目標となる目標印刷機２０において出力される色にプリンタ３０において出力される色を合わせる色調整処理を行う。具体的に、画像処理装置１０は、目標印刷機２０において出力されたカラーチャートを測色計４０で測色して得られた測色データと、プリンタ３０において出力されたカラーチャートを測色計５０で測色して得られた測色データとを取得する。画像処理装置１０は、取得した測色データに基づいて、入力画像データをプリンタ３０に出力する画像データへ色変換処理する際に用いる色変換プロファイル１７１（図２参照）を作成する。
【００３７】
測色計４０，５０は、カラーチャートに含まれる各カラーパッチの色を分光的に測定する。測色データは、Ｌ＊ａ＊ｂ＊等のデバイスに依存しない表色系で表される。
【００３８】
なお、図１は、プリンタ３０において、目標印刷機２０における印刷色をシミュレートする場合の例であるが、業界標準色（ジャパンカラー、ＪＭＰＡカラー、ＳＷＯＰ、ＩＳＯ規格等）をシミュレートして印刷物を出力することとしてもよい。
【００３９】
図２に、画像処理装置１０の機能的構成を示す。
図２に示すように、画像処理装置１０は、ＣＰＵ（Central Processing Unit）１１、ＲＯＭ（Read Only Memory）１２、ＲＡＭ（Random Access Memory）１３、操作部１４、表示部１５、通信部１６、記憶部１７等を備えて構成され、各部はバス１８により接続されている。画像処理装置１０は、一般のＰＣ（Personal Computer）により実現される。
【００４０】
ＣＰＵ１１は、画像処理装置１０の各部の処理動作を統括的に制御する。ＣＰＵ１１は、操作部１４から入力される操作信号又は通信部１６により受信した指示信号に応じて、ＲＯＭ１２又は記憶部１７に格納されている各種処理プログラムを読み出してＲＡＭ１３に展開し、当該プログラムとの協働により各種処理を実行する。
【００４１】
ＲＯＭ１２は、不揮発性の半導体メモリ等により構成され、制御プログラム、当該プログラムの実行に必要なパラメータやファイル等を記憶している。
【００４２】
ＲＡＭ１３は、ＣＰＵ１１により実行される各種処理プログラム及びこれらプログラムに係るデータを一時的に記憶するワークエリアを形成する。
【００４３】
操作部１４は、カーソルキー、文字入力キー、及び各種機能キー等を備えたキーボードと、マウス等のポインティングデバイスを備えて構成され、ユーザによる操作入力を受け付ける。操作部１４は、キーボードに対するキー操作やマウス操作により入力された操作信号をＣＰＵ１１に出力する。
【００４４】
表示部１５は、ＬＣＤ（Liquid Crystal Display）を備え、ＣＰＵ１１からの指示に従って、各種操作画面や各種処理結果を表示する。
【００４５】
通信部１６は、外部機器との間でデータの送受信を行う。例えば、通信部１６は、測色計４０，５０から測色データを受信する。また、通信部１６は、プリンタ３０に色変換処理後の画像データを送信する。
【００４６】
記憶部１７は、ハードディスク等の記憶装置からなり、各種処理プログラムや各種処理に関するデータ等を記憶する。例えば、記憶部１７は、色変換プロファイル１７１、補正データ１７２を記憶する。
【００４７】
ＣＰＵ１１は、測色計４０，５０から通信部１６を介して測色データを取得する。具体的に、ＣＰＵ１１は、複数のカラーパッチで構成されるカラーチャートについて、目標印刷機２０（ターゲットデバイス）で出力した結果を測色計４０で測色して得られた測色データ、及び、プリンタ３０（出力デバイス）で出力した結果を測色計５０で測色して得られた測色データを取得する。これらの測色データは、色変換プロファイル１７１又は補正データ１７２を作成する際に用いられる。また、測色データには、必要に応じてカラーチャートにおけるカラーパッチの並び順や構成も含まれる。目標印刷機２０において印刷されるカラーチャートと、プリンタ３０において印刷されるカラーチャートとは、カラーパッチの数が異なっていても、それぞれ同一のものであってもかまわない。
【００４８】
ＣＰＵ１１は、測色計４０，５０から取得した測色データに基づいて、目標印刷機２０に依存した色データをプリンタ３０に依存した色データへ変換するための色変換プロファイル１７１を作成する。色変換プロファイル１７１としては、例えば、デバイスに依存するデータ（ＣＭＹＫデータ等）とデバイスに依存しないデータ（例えば、Ｌ＊ａ＊ｂ＊データ等）との相互変換を行う形式のもの、デバイスに依存しないデータからデバイスに依存するデータへの変換を行う形式のもの、目標印刷機２０に依存するデータからプリンタ３０に依存するデータへ直接変換する形式のもの等が考えられる。
【００４９】
具体的に、ＣＰＵ１１は、目標印刷機２０で出力した、複数のＣＭＹＫ値を組み合わせたカラーパッチで構成されるカラーチャートを測色して得られた測色データを取得し、ターゲットプロファイル（シミュレーションプロファイル）を作成する。ターゲットプロファイルは、目標印刷機２０に入力される画像データ（ＣＭＹＫデータ等）と、デバイスに依存しない色空間における測色データ（Ｌ＊ａ＊ｂ＊データ、ＸＹＺデータ等）との対応関係を示すものである。すなわち、ターゲットプロファイルを用いて、目標印刷機２０のデバイス依存色（ＣＭＹＫデータ等）をデバイス非依存色（Ｌ＊ａ＊ｂ＊データ、ＸＹＺデータ等）に変換することができる。
【００５０】
また、ＣＰＵ１１は、プリンタ３０で出力した、複数のＣＭＹＫ値を組み合わせたカラーパッチで構成されるカラーチャートを測色して得られた測色データを取得し、プリンタプロファイル（デスティネーションプロファイル）を作成する。プリンタプロファイルは、プリンタ３０に入力される画像データ（ＣＭＹＫデータ等）と、デバイスに依存しない色空間における測色データ（Ｌ＊ａ＊ｂ＊データ、ＸＹＺデータ等）との対応関係を示すものである。すなわち、プリンタプロファイルを用いて、デバイス非依存色（Ｌ＊ａ＊ｂ＊データ、ＸＹＺデータ等）をデバイス依存色（ＣＭＹＫデータ等）に変換することができる。
【００５１】
ＣＰＵ１１は、ターゲットプロファイルとプリンタプロファイルとに基づいて、色変換プロファイル（デバイスリンクプロファイル）１７１を作成する。ＣＰＵ１１は、入力されたカラー画像の画像データに対し、色変換プロファイル１７１を用いて（必要に応じて、さらに補正データ１７２を用いて）色変換処理を行い、色変換処理後の画像データをプリンタ３０に出力することにより、プリンタ３０の色再現を目標印刷機２０の色再現に合わせる。すなわち、ＣＰＵ１１は、色変換プロファイル１７１を用いて、入力画像データを、目標印刷機２０に依存した色からプリンタ３０に依存した色へ色変換する。
【００５２】
なお、ＣＰＵ１１は、色変換プロファイル１７１として、デバイスリンクプロファイルを作成して記憶部１７に記憶させてもよいし、ターゲットプロファイルとプリンタプロファイルを別個に記憶部１７に記憶させてもよい。
【００５３】
ＣＰＵ１１は、色変換処理における色変換制限、及び、色変換制限の変更可能性の有無を設定するための色変換制限設定画面１５２（図５参照）を表示部１５に表示させる。
【００５４】
ここで、色変換制限とは、色変換処理に何らかの制限を設けることをいう。例えば、色変換制限として、入力画像の色がＣＭＹＫ（シアン、マゼンタ、イエロー、ブラック）のうち１色のみからなる場合に、プリンタ３０に依存する色成分ＣＭＹＫの中で最も適切な１色のみ（一般的には、シアン同士やブラック同士）で再現する条件を、ＣＭＹＫ全ての色、又は、色毎に個別に設定する場合がある。また、色変換制限として、入力画像の色がＣＭＹＫのいずれか２色の組み合わせのみからなる場合に、プリンタ３０に依存する色成分のうち、対応するＣＭＹＫの２色の組み合わせのみで再現する条件を、全ての組み合わせ、又は、組み合わせ毎に個別に設定する場合がある。また、色変換制限として、入力画像の色がＣＭＹＫのうち１色の最大階調からなる場合に、プリンタ３０に依存する色成分ＣＭＹＫのうち、対応するＣＭＹＫの最大階調で再現する条件を、ＣＭＹＫ全ての色、又は、色毎に個別に設定する場合がある。また、色変換制限として、入力画像の色がＣＭＹＫのうちいずれか２色の組み合わせの最大階調からなる場合に、プリンタ３０に依存する色成分ＣＭＹＫのうち、対応するＣＭＹＫの２色の組み合わせの最大階調で再現する条件を、全ての組み合わせ、又は、組み合わせ毎に個別に設定する場合がある。また、入力画像の色が無彩色であると判断できる場合には、ブラックのみを使用するように制限する等、必要に応じて様々な色変換制限がある。
【００５５】
また、色変換制限の変更可能性とは、色調整処理（図３参照）の完了後に、色変換制限を変更する可能性をいい、ある色変換制限を設定した状態からその色変換制限の設定を解除する可能性、及び、ある色変換制限を設定していない状態からその色変換制限を設定する可能性を含む。
【００５６】
ＣＰＵ１１は、操作部１４より入力された操作信号に基づいて、色変換制限、及び、色変換制限の変更可能性の有無を設定する。なお、色変換制限、及び、色変換制限の変更可能性の有無は、ユーザの操作に基づいて設定してもよいし、画像処理装置１０が自動的に設定する仕組みになっていてもよい。
【００５７】
ＣＰＵ１１は、設定された色変換制限、及び、色変換制限の変更可能性の有無に応じたカラーチャートをプリンタ３０に出力させる。
【００５８】
具体的には、ＣＰＵ１１は、変更可能性があると設定された色変換制限について、カラーチャートに含まれる複数のカラーパッチ（予め用意されている基本カラーパッチ）の中から、色変換制限の変更により色再現結果が変わるカラーパッチを選択する。そして、ＣＰＵ１１は、選択されたカラーパッチをカラーチャートに追加する。
【００５９】
例えば、ＣＰＵ１１は、変更可能性がある色変換制限がブラックのみからなる入力色をブラックのみで再現する色変換制限である場合には、基本カラーパッチの中からブラックのみからなるカラーパッチを選択し、異なる色変換処理を行うことが可能な形でカラーチャートに追加する。同様に、ＣＰＵ１１は、変更可能性がある色変換制限がイエローとマゼンタの２色からなる入力色を対応するイエローとマゼンタの２色のみで再現する色変換制限である場合には、基本カラーパッチの中からイエローとマゼンタの２色のみからなるカラーパッチを全て選択し、カラーチャートに追加する。
【００６０】
この時、色調整作業に必要な工数を最小限に留めるため、色変換制限を変更した場合に色再現結果が変わるカラーパッチのみをカラーチャートに追加する。また、「異なる色変換処理を行うことが可能な形」とは、写真（主にビットマップ画像）、グラフィック（ベクター画像）、テキスト等の種別に応じた色変換が可能な場合には、その機能を活用してもよいし、画像自体に色変換プロファイルを埋め込んでもよいし、異なる枚葉として設定を分けて出力するように整えてもよい。また、必要に応じた色変換設定の使い分けが可能であれば、他の方法を用いてもよい。
【００６１】
ＣＰＵ１１は、カラーチャートにおける選択対象のカラーパッチ（基本カラーパッチ）と追加されたカラーパッチのうち同一色のカラーパッチについて、色変換プロファイル１７１を用いて、色変換制限を変更した場合と変更しない場合のそれぞれの条件で色変換処理を行う。そして、ＣＰＵ１１は、色変換処理後の画像データを通信部１６を介してプリンタ３０に送信する。
【００６２】
ＣＰＵ１１は、色変換処理後の画像データに基づいてプリンタ３０にて出力されたカラーチャートの各カラーパッチの測色値を、測色計５０から通信部１６を介して取得する。
【００６３】
ＣＰＵ１１は、取得された測色値と目標値との差分を算出し、算出された差分に基づいて色変換プロファイル１７１を補正する補正データ１７２を、色変換制限を変更した場合と変更しない場合のそれぞれについて作成する。
【００６４】
本実施の形態では、補正データ１７２が、色変換プロファイル１７１と合わせて用いることにより、色変換プロファイル１７１を補正可能なデータファイルである場合を例にして説明するが、補正データ１７２として、新たに色変換プロファイルを作成し直すこととしてもよい。
【００６５】
ＣＰＵ１１は、入力画像データ、すなわち、プリンタ３０によって出力すべき画像データをプリンタ３０に出力する際（運用時）に適用する色変換制限を設定する。運用時の色変換制限は、画像入力時にその都度ユーザが指定してもよいが、予め基本となる色変換制限を設定しておいてもよいし、所定の入力経路で画像入力が行われた場合に個々の入力経路に対応した色変換制限を自動設定するようにしてもよい。
【００６６】
ＣＰＵ１１は、設定された色変換制限に基づいて、適切な色変換プロファイル１７１及び／又は補正データ１７２を選択する。
【００６７】
次に、画像処理装置１０の動作について説明する。
図３は、色調整処理の概要を示すフローチャートである。本処理は、プリンタ３０の色再現を目標印刷機２０に合わせる処理であって、ＣＰＵ１１と、記憶部１７に記憶されているプログラムとの協働によるソフトウェア処理によって実現される。
【００６８】
まず、ＣＰＵ１１により、測色計４０から通信部１６を介して目標印刷機２０の出力物（例えば、基本カラーパッチを含むカラーチャート）の測色データ（目標値）が取得され、測色計５０から通信部１６を介してプリンタ３０の出力物（例えば、基本カラーパッチを含むカラーチャート）の測色データが取得される（ステップＳ１）。
【００６９】
図４に、表示部１５に表示されるターゲットデバイス（目標印刷機２０）の測色データの入力画面１５１の例を示す。入力画面１５１には、チャート選択領域６０、チャート表示領域６１、ファイル入力ボタン６２、測定ボタン６３、測定値保存ボタン６４、プロファイル作成ボタン６５、キャンセルボタン６６が含まれる。
【００７０】
チャート選択領域６０は、測定するカラーチャートの種類を選択するための領域である。チャート表示領域６１は、チャート選択領域６０において選択されたカラーチャートのサンプル画像、又は、ファイル入力ボタン６２の押下によりファイルから入力される測色データに対応するカラーチャートのサンプル画像を表示するための領域である。ファイル入力ボタン６２は、測定値をファイルから入力する場合に押下されるボタンである。測定ボタン６３は、測色計４０における測定を開始する場合に押下されるボタンである。測定値保存ボタン６４は、測定された結果をファイルとして保存する場合に押下されるボタンである。プロファイル作成ボタン６５は、測定値に基づいてＩＣＣ（International Color Consortium）プロファイルを作成する場合に押下されるボタンである。キャンセルボタン６６は、入力画面１５１における作業をキャンセルする場合に押下されるボタンである。
【００７１】
プリンタ３０の測色データを取得する場合にも、対象デバイスは異なるが、入力画面１５１と同様の入力画面が表示される。
【００７２】
次に、ＣＰＵ１１により、取得された目標印刷機２０の測色データ及びプリンタ３０の測色データに基づいて、色変換プロファイル１７１が作成される（ステップＳ２）。
【００７３】
次に、ＣＰＵ１１により、色変換処理における色変換制限、及び、色変換制限の変更可能性の有無を設定するための色変換制限設定画面１５２が表示部１５に表示される（ステップＳ３）。
【００７４】
図５に、色変換制限設定画面１５２の例を示す。図５に示すように、色変換制限設定画面１５２には、自動設定実行ボタン７０、色変換制限設定領域７１、チャート生成ボタン７２、キャンセルボタン７３が含まれる。
【００７５】
自動設定実行ボタン７０は、色変換制限を自動設定する場合に押下されるボタンである。ユーザの操作部１４からの操作により、自動設定実行ボタン７０が押下されると、ＣＰＵ１１により、色変換制限についての推奨パラメータがセットされる。
【００７６】
色変換制限設定領域７１には、Ｃ，Ｍ，Ｙ，Ｋ，Ｂ，Ｇ，Ｒそれぞれについての中間調の他色排除の設定チェックボックス７４ｃ，７４ｍ，７４ｙ，７４ｋ，７４ｂ，７４ｇ，７４ｒ、中間調の他色排除の変更可能性チェックボックス７５ｃ，７５ｍ，７５ｙ，７５ｋ，７５ｂ，７５ｇ，７５ｒ、１００％ベタ保持の設定チェックボックス７６ｃ，７６ｍ，７６ｙ，７６ｋ，７６ｂ，７６ｇ，７６ｒ、１００％ベタ保持の変更可能性チェックボックス７７ｃ，７７ｍ，７７ｙ，７７ｋ，７７ｂ，７７ｇ，７７ｒが含まれる。
【００７７】
Ｃ，Ｍ，Ｙ，Ｋについての中間調の他色排除の設定チェックボックス７４ｃ，７４ｍ，７４ｙ，７４ｋは、入力画像の色がＣ，Ｍ，Ｙ，Ｋのうち１色のみで構成されている場合に、プリンタ３０においても対応するＣ，Ｍ，Ｙ，Ｋの１色のみで再現し、他の色を入れないように制限を設けるためのものである。Ｂ，Ｇ，Ｒについての中間調の他色排除の設定チェックボックス７４ｂ，７４ｇ，７４ｒは、入力画像の色がＢ（シアンとマゼンタ），Ｇ（シアンとイエロー），Ｒ（マゼンタとイエロー）のみで構成されている場合に、プリンタ３０においても対応するＣ，Ｍ，Ｙの２色の組み合わせのみで再現し、他の色を入れないように制限を設けるためのものである。
【００７８】
Ｃ，Ｍ，Ｙ，Ｋ，Ｂ，Ｇ，Ｒそれぞれについての中間調の他色排除の変更可能性チェックボックス７５ｃ，７５ｍ，７５ｙ，７５ｋ，７５ｂ，７５ｇ，７５ｒは、中間調の他色排除の設定チェックボックス７４ｃ，７４ｍ，７４ｙ，７４ｋ，７４ｂ，７４ｇ，７４ｒにおける設定について、変更の可能性の有無を設定するためのものである。例えば、Ｃの中間調の他色排除の設定チェックボックス７４ｃがＯＦＦであって、Ｃの中間調の他色排除の変更可能性チェックボックス７５ｃがＯＮの場合には、現在Ｃの中間調の他色排除という色変換制限は設定されていないが、将来的に、Ｃの中間調の他色排除をＯＮに変更する可能性があるということを意味している。
【００７９】
Ｃ，Ｍ，Ｙ，Ｋについての１００％ベタ保持の設定チェックボックス７６ｃ，７６ｍ，７６ｙ，７６ｋは、入力画像の色がＣ，Ｍ，Ｙ，Ｋの１００％（最大階調）で構成されている場合に、プリンタ３０においても対応するＣ，Ｍ，Ｙ，Ｋの１００％（最大階調）で再現し、１００％未満にしないように制限を設けるためのものである。Ｂ，Ｇ，Ｒについての１００％ベタ保持の設定チェックボックス７６ｂ，７６ｇ，７６ｒは、入力画像の色がＢ（シアンとマゼンタ），Ｇ（シアンとイエロー），Ｒ（マゼンタとイエロー）の１００％（最大階調）で構成されている場合に、プリンタ３０においても対応するＢ，Ｇ，Ｒの１００％（最大階調）で再現し、１００％未満にしないように制限を設けるためのものである。
【００８０】
Ｃ，Ｍ，Ｙ，Ｋ，Ｂ，Ｇ，Ｒそれぞれについての１００％ベタ保持の変更可能性チェックボックス７７ｃ，７７ｍ，７７ｙ，７７ｋ，７７ｂ，７７ｇ，７７ｒは、１００％ベタ保持の設定チェックボックス７６ｃ，７６ｍ，７６ｙ，７６ｋ，７６ｂ，７６ｇ，７６ｒにおける設定について、変更の可能性の有無を設定するためのものである。例えば、Ｃの１００％ベタ保持の設定チェックボックス７６ｃがＯＮであって、Ｃの１００％ベタ保持の変更可能性チェックボックス７７ｃがＯＮの場合には、現在Ｃの１００％ベタ保持という色変換制限が設定されているが、将来的に、Ｃの１００％ベタ保持をＯＦＦに変更する可能性があるということを意味している。
【００８１】
チャート生成ボタン７２は、色変換制限設定画面１５２において設定された色変換制限、及び、色変換制限の変更可能性の有無に基づいて、カラーチャートを生成する際に押下されるボタンである。
【００８２】
キャンセルボタン７３は、色変換制限設定画面１５２における作業をキャンセルする場合に押下されるボタンである。
【００８３】
ユーザが操作部１４から操作することにより、色変換制限設定画面１５２において、色変換制限設定領域７１の指定を行うか、あるいは、自動設定実行ボタン７０を押下すると、ＣＰＵ１１により、操作部１４より入力された操作信号に基づいて、色変換処理を行う際に考慮すべき色変換制限、及び、色変換制限の変更可能性の有無が設定される（ステップＳ４）。
【００８４】
そして、ユーザが操作部１４から操作することにより、色変換制限設定画面１５２のチャート生成ボタン７２を押下すると、ＣＰＵ１１により、カラーパッチ構成処理が行われる（ステップＳ５）。
【００８５】
ここで、図６を参照して、カラーパッチ構成処理について説明する。
図６に示すように、まず、ＣＰＵ１１により、記憶部１７から基本カラーパッチを含むカラーチャートが取得される（ステップＳ１１）。基本カラーパッチは、カラーパッチ数、カラーパッチのレイアウト、測定に用いる測色計等によって異なり、適切なものが用意される。
【００８６】
次に、ＣＰＵ１１により、変更可能性があると設定された色変換制限について、カラーチャートに含まれる複数のカラーパッチ（基本カラーパッチ）の中から、色変換制限の変更により、色再現結果が変わるカラーパッチが選択される（ステップＳ１２）。例えば、シアン単色の中間調の入力画像をプリンタ３０においてシアンのみで再現する色変換制限について、後に変更する可能性があると設定された場合には、ＣＰＵ１１により、基本カラーパッチの中からシアン単色の中間調のカラーパッチが選択される。同様に、イエローとマゼンタの２色からなる中間調の入力画像をプリンタ３０においてイエローとマゼンタのみで再現してシアンとブラックを使わないようにする色変換制限について、後に変更する可能性があると設定された場合には、ＣＰＵ１１により、基本カラーパッチの中からイエローとマゼンタのみで構成される中間調のカラーパッチが選択される。このようにして、色変換制限の変更に対応するカラーパッチが選択され、選択時に想定された色変換制限と順次関連付けられて記憶部１７に記憶されていく。その結果、複数の色変換制限が同一のカラーパッチに適用され得る組み合わせが生じた場合には、色変換制限の取り得る組み合わせの数だけ同じカラーパッチが出力対象として選択され、異なる出力条件で出力されることになる。
【００８７】
次に、ＣＰＵ１１により、選択結果に基づいて、追加ページ数、追加ファイル数等のレイアウトが決定される（ステップＳ１３）。追加ページ数、追加ファイル数は、色変換設定の使い分けに依存して決定される。例えば、オブジェクト種別による色変換設定の使い分けが可能な場合には、１ページの中にビットマップ画像とベクター画像を共存させて色変換設定を使い分けることが可能である。また、画像毎に色変換プロファイルを埋め込むことや、変換方法を指定することが可能であれば、同一ページ内に複数の色変換設定を共存させることが可能である。そのような機能を持たない場合には、内部的に複数のファイルに分離しておき、それぞれに出力設定を変更してもよい。また、一般に、基本カラーパッチや、追加したカラーパッチ数に応じてページ数は増加する。
【００８８】
次に、ＣＰＵ１１により、追加されるカラーパッチ（追加カラーパッチ）が作成される（ステップＳ１４）。追加カラーパッチは、追加ページ数、追加ファイル数等のレイアウト情報に基づいて、所定のオブジェクト種や配列で作成される。追加されるカラーパッチを、事前に何種類かに分けて用意できる場合には、それらから必要なものを特定することとしてもよい。
【００８９】
次に、ＣＰＵ１１により、ステップＳ１１で取得されたカラーチャートに、ステップＳ１４で作成された追加カラーパッチが追加される（ステップＳ１５）。具体的には、ＣＰＵ１１により、基本カラーパッチと追加カラーパッチが集約され、ステップＳ１３で決定されたレイアウト情報に基づいて面付けされて一つの画像ファイルとして生成されてもよいし、複数の画像ファイルとして生成されてもよい。
【００９０】
次に、ＣＰＵ１１により、ステップＳ１３で決定したレイアウト情報から、後の測定プロセスで用いるために、生成された画像ファイルにおけるカラーパッチの並び順を示す情報が作成される（ステップＳ１６）。
【００９１】
図７は、カラーパッチ構成処理において生成されたカラーチャート８０の例である。カラーチャート８０は、基本カラーパッチ領域８１と、追加カラーパッチ領域８２とを含む。基本カラーパッチ領域８１に含まれるカラーパッチは、色変換制限の設定に関係なく必ず出力・測色されるものであり、例えば、ビットマップ画像で構成される。追加カラーパッチ領域８２に含まれるカラーパッチは、色変換制限の設定によって適宜追加されるものであり、例えば、ベクトル画像で構成される。
【００９２】
次に、図３に戻り、ＣＰＵ１１により、カラーパッチ構成処理において生成されたカラーチャートの画像データに対して、色変換プロファイル１７１を用いて色変換処理が行われる（ステップＳ６）。具体的には、ＣＰＵ１１により、基本カラーパッチと追加カラーパッチのうち同一色のカラーパッチについて、基本カラーパッチに対しては、現在設定されている色変換制限が加えられた条件で色変換処理が行われ、追加カラーパッチに対しては、各カラーパッチの追加に対応する色変換制限が変更された場合の条件で色変換処理が行われる。変更可能性のある色変換制限が複数ある場合には、各色変換制限の有無の組み合わせに対応する条件毎に、各条件に対応する追加カラーパッチに対して色変換処理が行われる。
【００９３】
次に、ＣＰＵ１１により、色変換処理後の画像データが通信部１６を介してプリンタ３０に出力される（ステップＳ７）。プリンタ３０では、色変換処理後の画像データに基づいて、カラーチャートが印刷される。そして、印刷されたカラーチャートは測色計５０で測色される。
【００９４】
次に、ＣＰＵ１１により、測色計５０から通信部１６を介してプリンタ３０の出力物の測色データが取得される（ステップＳ８）。そして、ＣＰＵ１１により、ステップＳ１６で作成されたカラーパッチの並び順を示す情報に基づいて、各カラーパッチの測色値と目標値とが対応付けられる。
【００９５】
次に、ＣＰＵ１１により、色調整精度が許容範囲内であるか否かが判断される（ステップＳ９）。例えば、ＣＰＵ１１により、各カラーパッチの測色値と目標値とが比較され、色差ΔＥの平均値が予め定められた値以内であるか否かによって色調整精度が判断される。
【００９６】
色調整精度が許容範囲内でないと判断された場合には（ステップＳ９；ＮＯ）、ＣＰＵ１１により、取得された測色値と目標値との差分が算出され、算出された差分に基づいて色変換プロファイル１７１を補正する補正データ１７２が、色変換制限を変更した場合と変更しない場合のそれぞれについて作成される（ステップＳ１０）。作成されたそれぞれの補正データ１７２は、ＣＰＵ１１により、対応する色変換制限と関連付けられて記憶部１７に記憶される。変更可能性のある色変換制限が複数ある場合には、ＣＰＵ１１により、複数の色変換制限の有無の組み合わせ毎に補正データ１７２が作成され、当該色変換制限の組み合わせと関連付けられて記憶部１７に記憶される。
【００９７】
ここで、図８を参照して、補正データ１７２の作成について説明する。ここでは、ＣＩＥ  Ｌａｂ均等色空間を用いて説明するが、必要に応じてＸＹＺ表色系やその他の表色系を用いてもよい。
【００９８】
まず、ＣＰＵ１１により、あるカラーパッチにおけるターゲットの測定値（目標値）９０を元に変換目標値９１が定められる。変換目標値９１は、目標印刷機２０の測定値９０そのままであってもよいし、目標印刷機２０とプリンタ３０の色再現可能な範囲の差に基づいてガマットマッピングを行った結果を用いてもよい。ここでは後者の場合について説明する。
【００９９】
次に、ＣＰＵ１１により、同じカラーパッチを色変換処理してプリンタ３０から出力した結果の測定値９２が取得されると、色変換処理の結果得られるべき測定結果、すなわち、変換目標値９１との差分が計算され、変換目標値９１に差分が加えられ、新たに名目上の変換目標値９３が求められる。そして、ＣＰＵ１１により、名目上の変換目標値９３に基づいて、補正データ１７２が作成される。なお、補正データ１７２は、色変換プロファイル１７１とは別のデータとして作成され、適用されてもよいし、ターゲットプロファイルを書き換える形で適用されてもよい。
【０１００】
補正データ１７２の作成後（ステップＳ１０）、ステップＳ６に戻り、ステップＳ６〜ステップＳ９の処理が繰り返される。ステップＳ６では、ＣＰＵ１１により、ステップＳ５において生成されたカラーチャートの画像データに対して、色変換プロファイル１７１及び補正データ１７２を用いて色変換処理が行われる（ステップＳ６）。ここで、基本カラーパッチに対しては、現状の色変換制限と関連付けられた補正データ１７２が用いられ、追加カラーパッチに対しては、当該追加カラーパッチに対応する色変換制限と関連付けられた補正データ１７２が用いられる。
【０１０１】
ステップＳ９において、色調整精度が許容範囲内であると判断された場合には（ステップＳ９；ＹＥＳ）、色調整処理が終了する。
【０１０２】
図９は、出力処理の概要を示すフローチャートである。本処理は、色調整処理（図３参照）で色調整された画像処理装置１０における実際の運用時の処理であって、ＣＰＵ１１と、記憶部１７に記憶されているプログラムとの協働によるソフトウェア処理によって実現される。
【０１０３】
まず、ＣＰＵ１１により、ユーザの操作部１４からの操作に基づいて、色変換制限が設定される（ステップＳ２１）。具体的には、ＣＰＵ１１により、色調整処理のステップＳ４において変更可能性があると設定された色変換制限の中から、ユーザが望む色変換制限が追加され、ユーザが不要と判断した色変換制限の設定が解除される。
【０１０４】
次に、ＣＰＵ１１により、プリンタ３０において印刷するための入力画像データが取得される（ステップＳ２２）。例えば、ＣＰＵ１１により、通信部１６を介して外部機器から画像データが取得されることとしてもよいし、予め画像データが記憶されている記憶部１７又は記憶媒体からデータが読み出されることとしてもよい。あるいは、ユーザの操作部１４からの操作によりデータが入力されるものであってもよい。
【０１０５】
次に、ＣＰＵ１１により、設定された色変換制限に基づいて、入力画像データに適用する補正データ１７２が選択される（ステップＳ２３）。具体的には、ＣＰＵ１１により、記憶部１７に記憶されている補正データ１７２の中から、設定された色変換制限（又は複数の色変換制限の組み合わせ）と関連付けられた補正データ１７２が選択される。
【０１０６】
次に、ＣＰＵ１１により、色変換プロファイル１７１と選択された補正データ１７２を用いて色変換処理が行われる（ステップＳ２４）。そして、ＣＰＵ１１により、色変換処理後の画像データが通信部１６を介してプリンタ３０に出力される（ステップＳ２５）。プリンタ３０では、色変換処理後の画像データに基づいて、出力対象画像が印刷される。
以上で、出力処理が終了する。
【０１０７】
以上説明したように、画像処理装置１０によれば、色調整処理の段階で、色変換制限の変更によって色再現結果が変わるカラーパッチを測定対象に追加し、その色変換制限を変更した場合と変更しない場合のそれぞれの条件で色変換処理を行い、それぞれの場合の補正データ１７２を予め作成しておくことができる。そのため、色変換制限を変更する際に再度誤差補正操作を行う必要がなく、色変換制限の変更を容易に行うことができる。
【０１０８】
また、変更可能性があると設定された色変換制限について、カラーチャートに含まれる複数のカラーパッチの中から、色変換制限の変更により色再現結果が変わるカラーパッチのみを選択するので、カラーチャートの出力及びカラーパッチの測色を効率良く行うことができる。従来は、変更し得る色変換制限の組み合わせ全てに対して事前に誤差補正を行う場合、色変換制限の組み合わせと同じ回数の誤差補正操作を行う必要があったが、画像処理装置１０によれば、２種以上の色変換制限の組み合わせに対応する複数の異なる条件についてカラーチャートの出力工程や測色工程を同時に行うことができるので、作業工数が２分の１以下になる。また、後に色変換制限の変更を、スピーディーかつ容易に行うことができ、使いやすさが向上する。
【０１０９】
具体的に、画像処理装置１０によれば、シアン、マゼンタ、イエロー、ブラックのうち１色のみからなる入力画像データをプリンタ３０において対応するシアン、マゼンタ、イエロー、ブラックの１色のみで再現する、色変換制限に変更することを容易に行うことができる。また、シアン、マゼンタ、イエロー、ブラックの２色の組み合わせのみからなる入力画像データをプリンタ３０において対応するシアン、マゼンタ、イエロー、ブラックの２色の組み合わせのみで再現する、色変換制限に変更することを容易に行うことができる。また、シアン、マゼンタ、イエロー、ブラックのうち１色の最大階調からなる入力画像データをプリンタ３０において対応するシアン、マゼンタ、イエロー、ブラックの最大階調で再現する、色変換制限に変更することを容易に行うことができる。また、シアン、マゼンタ、イエロー、ブラックの２色の組み合わせの最大階調からなる入力画像データをプリンタ３０において対応するシアン、マゼンタ、イエロー、ブラックの２色の組み合わせの最大階調で再現する、色変換制限に変更することを容易に行うことができる。
【０１１０】
以上の説明では、各処理を実行するためのプログラムを格納したコンピュータ読み取り可能な媒体としてＲＯＭやハードディスク等を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１１】
１０  画像処理装置
１１  ＣＰＵ
１２  ＲＯＭ
１３  ＲＡＭ
１４  操作部
１５  表示部
１６  通信部
１７  記憶部
１８  バス
２０  目標印刷機
３０  プリンタ
４０，５０  測色計
６０  チャート選択領域
６１  チャート表示領域
６２  ファイル入力ボタン
６３  測定ボタン
６４  測定値保存ボタン
６５  プロファイル作成ボタン
６６  キャンセルボタン
７０  自動設定実行ボタン
７１  色変換制限設定領域
７２  チャート生成ボタン
７３  キャンセルボタン
７４ｃ，７４ｍ，７４ｙ，７４ｋ，７４ｂ，７４ｇ，７４ｒ  中間調の他色排除の設定チェックボックス
７５ｃ，７５ｍ，７５ｙ，７５ｋ，７５ｂ，７５ｇ，７５ｒ  中間調の他色排除の変更可能性チェックボックス
７６ｃ，７６ｍ，７６ｙ，７６ｋ，７６ｂ，７６ｇ，７６ｒ  １００％ベタ保持の設定チェックボックス
７７ｃ，７７ｍ，７７ｙ，７７ｋ，７７ｂ，７７ｇ，７７ｒ  １００％ベタ保持の変更可能性チェックボックス
１００  色調整システム
１５１  入力画面
１５２  色変換制限設定画面
１７１  色変換プロファイル
１７２  補正データ
【図１】
2010263445.tif 000003
【図２】
2010263445.tif 000004
【図３】
2010263445.tif 000005
【図４】
2010263445.tif 000006
【図５】
2010263445.tif 000007
【図６】
2010263445.tif 000008
【図７】
2010263445.tif 000009
【図８】
2010263445.tif 000010
【図９】
2010263445.tif 000011